(57)【要約】      （修正有）【課題】シンプルな見開きで、且つ、カードサイズの保険証や診察券を区分けして入れられるとともに、点字表示して眼の不自由な人でも出し入れが分かり易い健康保険証入れを提供する。【解決手段】透明合成樹脂シート素材等による二つ折りして左右に見開きする一方を表側２とし、他方を裏側３とする。それぞれの内側面に、領収書やメモ片など入れる収納部を個別に形成し、その一方、表側２収納部４の外面には保険証カード入れ５を設けるとともに、他方、裏側３の収納部４ａ外面には、診察券カード入れ６を形成して成る。その収納部４に、薄い赤色や緑色の厚紙に健康保険証入れなる文字表示７をした台紙８を納めて成る健康保険証入れ１を形成し、その健康保険証入れ１を二つ折りした角部に吊り穴９を設けるとともに、その吊り穴９に吊り輪１０を取り付ける。【選択図】図１
0003139471.tif 000002
【実用新案登録請求の範囲】
【請求項１】
透明合成樹脂シート素材で二つ折りされる一方を表側とし、他方を裏側とする内側両面それぞれに個別の収納部を設け、そのいずれか一方の収納部面に、保険証カード入れを設けるとともに、他方の収納部面に診察券カード入れを形成した前記表側収納部に、台紙を組み合わせて成る構成を特徴とする健康保険証入れ。
【請求項２】
前記する表側収納部に組み合わせる台紙に、健康保険証入れなる文字表示をした請求項１に記載する健康保険証入れ。
【請求項３】
前記する健康保険証入れ本体の所定箇所に、任意の文字を点字表示して成る請求項１又は請求項２に記載する健康保険証入れ。
【考案の詳細な説明】
【技術分野】
【０００１】  本考案は、カードタイプの保健証や診察券を区分けして収納できるとともに、領収書等も機能的に納められるうえ、眼の不自由な人でも収納物が分かる点字表示付き保険証入れに関する。
【背景技術】
【０００２】  従来の保険証は、三つ折した保健証を専用の薄いビニールケースに入れて交付しており、必要な時は診察券とともにそのまま病院の窓口に出したり、時には診察券入れにも利用していた。【０００３】  さらに、健康保険証と、それにセットされる証書、診察券、領収書等の関連書類を一括して収納し、そのまま格納・携帯できる健康保険証入れがある。（例えば、特許文献１参照）
【特許文献１】登録実用新案公報第３０６１７９４号
【考案の開示】
【考案が解決しようとする課題】
【０００４】  前記するような健康保険証入れがあるが、これは次のような不便や欠点がある。まず、従来の保健証入れビニールケースは、両端の袋部に保健証を差し入れたタイプで中ほどは空いているので、左右いずれかの袋部に診察を入れられるが、時には小さい保健証を落として無くしてしまうなどの不便がある。【０００５】  また、登録実用新案公報第３０６１７９４号に開示される技術は、中間のヒンジ部を介して一枚板携帯の開きと重ね合わせ閉鎖セット自在にして、内側に健康保険証ポケットを有する板状の表面カバー部からなるとともに、表面カバー部と裏面カバー部の中間に、ヒンジ部にヒンジ連結して治療資料ポケットを有する板状の副資料収納部を備えた、表面カバー部と裏面カバー部を閉じるホックボタンを取り付けて成る透明樹脂シートによる健康保険証入れである。【０００６】  しかし、この保健証入れの保健証は二つ折りした古いタイプの保健証入れに対応するものであって、且つ、その一枚板表面カバー内側のポケットに入れる方式であるが、その隣にヒンジ部に連結した二枚の板状副資料収納部があるので出し入れするのが面倒である。加えて、診察券はその副資料収納部に複数箇所設けたポケットに納めるものであるが、保健証入れ本体も板状であり、且つ、複数箇所の収納部とともに副資料収納部を設けているので複雑である。また出し入れする場所が多くて一定でないため面倒であり、どれか一つ紛失しても一目で分からないなどの不便や欠点がある。
【課題を解決するための手段】
【０００７】  本考案は前記するような不便や欠点を解消するために、請求項１においては、透明合成樹脂シート素材で二つ折りされる一方を表側とし、他方を裏側とする内側両面にそれぞれ個別の収納部を設け、そのいずれか一方の収納部面に、保険証カード入れを設けるとともに、他方の収納部面には診察券カード入れを形成した前記表側収納部に、台紙を組み合わせた健康保険証入れとすることで、二つ折り本体を見開くだけで一目で病院に必要な保健証と診察券の有無が分かり、且つ、領収書やメモなども収納できるシンプルなものとする。【０００８】  請求項２においては、前記する表側収納部に組み合わせる台紙に健康保険証入れなる文字表示をすることで、透明素材の健康保険証入れの外側から一目で識別できるものとする。【０００９】  請求項３においては、前記する健康保険証入れ本体の所定箇所に、任意の文字を点字表示することで、目の不自由な人でも使い易い健康保険証入れとする。
【考案の効果】
【００１０】  本考案における健康保険証入れは、二つ折りされる内側左右面に個別に二つの収納部を設けるとともに、その収納部の表面に重ねるようにカードサイズの保健証入れと診察券入れを取り付けているので、病院に行く際は必ず必要な保健証と診察券をセットで保持することができるため、両方同時に出す必要がある場合や、必要な方を取り出すにもきわめて容易であるとともに、区分けして入れるので二つのカードが揃っていることも一目で分かる機能的な健康保険証入れである。また、複数枚診察券がある場合は、当日使わないものは収納部に入れ、その日に使うカードのみカード入れ部に入れて置くと、窓口で戸惑うこともなくスムーズに手続が行える。【００１１】  さらに、そのカード入れの裏には一回り大きい一般収納部があるので、領収書やメモ片を入れられることはもとより、表側の収納部には、厚紙のカラー台紙に健康保険証入れと表題表示をした台紙が入れてあるので、保健証入れを適度な腰の強さにするうえ、台紙は赤や緑などのカラーであるため、複数人の家族が居る家庭でも色分けでだれの物か直ぐに分かるし、吊り輪に識別用の飾りを付けることも可能である。【００１２】  このように健康保健証入れ本体は二つ折りで、且つ、必ず必要な保健証と診察券は区分けして収納できるきわめてシンプルな構成であるため、従来のように収納部が沢山ある場合のように混乱して出し入れ時に落とす心配も無く使える。加えて、第２実施形態に示すように健康保健証入れ本体の表や各カード入れ部に点字表示していると、目の不自由な人でも使い易いので、保険会社や銀行その他の会社におけるノベルティ商品としても効果的で喜ばれる健康保険証入れである。
【考案を実施するための最良の形態】
【００１３】  本考案の健康保険証入れの第１実施形態を、図１に示す一部を欠いた斜視図と図２に示す展開した分解斜視図で説明する。
本案における健康保険証入れ１は、透明合成樹脂シート素材等による二つ折りして左右に見開きする一方を表側２とし、他方を裏側３とするものとし、前記する表側２と裏側３それぞれの内側面には、領収書やメモ片など入れる一般の収納部４，４ａを個別に二つ形成し、その二つの収納部４，４ａの一方、表側２収納部４の外面には一回り小さい保険証カード入れ５を設けるとともに、他方、裏側３の収納部４ａ外面には、診察券カード入れ６を形成して成る前記表側２の収納部４に、薄い赤色や緑色の厚紙に健康保険証入れなる文字表示７を表示した台紙８を納めて成る健康保険証入れ１を形成し、その健康保険証入れ１を二つ折りした角部に吊り穴９を設けるとともに、その吊り穴９にキーホルダーなど吊り下げる吊り輪１０を取り付けて成る健康保険証入れ１を構成する。【００１４】  第１実施形態による健康保険証入れ１は、二つ折りした見開きの左右それぞれに収納部４，４ａを設けるとともに、その表側２の収納部４面には一回り小さい保険証カード入れ５を、他方には診察券カード入れ６を設けているため、前記する収納部４，４ａには領収書やメモなど入れられるとともに、保健証や診察券は、その表面に設けられている保健証カード入れ５及び診察券カード入れ６部に区分けして入れられる。さらに、表側２収納部４には、薄い赤色や緑色の厚紙に健康保険証入れと文字表示７した台紙８を入れているので適度な腰の強さを得るとともに、透明素材で成る保険証入れ１本体の表側面から文字表示７を読み取れる。また台紙８はカラーであるので複数人が居る家族が居る場合であっても色分けできるうえ、吊り輪１０を備えているので好みの飾りを取り付けられる。【００１５】  第２実施形態による健康保険証入れを、図４に示す正面図と図５に示す展開図で説明する。
第２実施形態における保険証入れ１本体の基本形態は前記第１実施形態と同様であるが、目の不自由な人にも対応するものである。まず、二つ折りして成る健康保険証入れ１の表側２の表面に健康保険証入れの文字を点字表示１１で施し、且つ、その健康保険証入れ１の見開きした保険証カード入れ５面と診察券カード入れ６面それぞれにも、収納カード種別に応じた点字表示１１を施した健康保険証入れ１を構成する。尚、前記する健康保険証入れなる文字や収納カード種別名は、識別できるものであれば任意の名称でよい。【００１６】  第２実施形態による健康保険証入れ１本体は前記第１実施形態と同じであるが、二つ折りした表側２の外面に健康保健証入れなる文字表示７を、また、見開きした保健証カード入れ５や診察券カード入れ６面には、それぞれ収納するカード種別名を点字表示１１しているので、目が不自由な人でもスムーズに出し入れできる。【００１７】  本考案による健康保険証入れ１に設けた表側２収納部４面に保健証カード入れ５を、また診察券カード入れ６は裏側３の収納部４ａ面に設けているが、反対に設けてもよい。さらに台紙８には健康保険証入れ１の文字表示７をしているが、設けなくても差し支えないし、台紙８はカラーであるが、カラーでなくても構わないなど、いずれも特に限定されるものではない。
【図面の簡単な説明】
【００１８】
【図１】本考案の健康保険証入れの第１実施形態を示す一部を欠いた斜視図である。
【図２】第１実施形態の健康保険証入れを展開した一部分解斜視図である。
【図３】第２実施形態の健康保険証入れを示す正面図である。
【図４】第２実施形態の健康保健証入れを示す展開した斜視図である。
【符号の説明】
【００１９】１  健康保険証入れ
２  表側
３  裏側
４  収納部
４ａ  収納部
５  保健証カード入れ
６  診察券カード入れ
７  文字表示
８  台紙
９  吊り穴
１０  吊り輪
１１  点字表示
【図１】
0003139471.tif 000003
【図２】
0003139471.tif 000004
【図３】
0003139471.tif 000005
【図４】
0003139471.tif 000006